(57)【要約】【課題】外刃が外刃ケースの取付口の内縁に引っ掛かることが無く、外刃の皮膚への密着性が向上し髭剃り性能を向上させ、外刃の周方向のあらゆる位置で円滑な沈み込みを可能にする。【解決手段】外刃７２の外周に固定され外周下部に球面状摺動面が形成された外刃ケース７４と；取付口６８の内側に上下可動かつ上限位置が規制されて装填され、外刃ケース７４の球面状摺動面をガイドして外刃ケース７４を揺動可能に保持する外刃ケースホルダー７８と；外刃７２と、外刃ケース７４と、外刃ケースホルダー７８とで形成される外刃ケース組７０に上向きの復帰習性を付与する押上板９８と；を備え、外刃ケース７４の外周に外刃枠６６の上面に延出して外刃ケース７４が取付口６８に沈み込むのを防ぐストッパとなる凸部８８を形成した。【選択図】図３
2013141566.tif 000002
【特許請求の範囲】
【請求項１】
本体部に保持される外刃枠の取付口に揺動可能に保持された外刃と、駆動軸により上向きに付勢され前記外刃の下面に弾接しつつ回転する内刃とを有する複数の刃ユニットを備えるロータリー式電気かみそりにおいて、
前記外刃の外周に固定され外周下部に球面状摺動面が形成された外刃ケースと；
前記取付口の内側に上下可動かつ上限位置が規制されて装填され、前記外刃ケースの球面状摺動面をガイドして前記外刃ケースを揺動可能に保持する外刃ケースホルダーと；
前記外刃と、外刃ケースと、外刃ケースホルダーとで形成される外刃ケース組に上向きの復帰習性を付与する押上板と；
を備え、前記外刃ケースの外周に前記外刃枠の上面に延出して前記外刃ケースが前記取付口に沈み込むのを防ぐストッパとなる凸部を形成したことを特徴とするロータリー式電気かみそり。
【請求項２】
外刃ケースには、下方に伸びる複数の係合爪が一体に形成され、これらの係合爪の先端が外刃ケースホルダーに下方から係合して外刃ケースを外刃ケースホルダーに対して全方向に揺動可能としつつ上下方向に連結している請求項１のロータリー式電気かみそり。
【請求項３】
外刃ケースホルダーの内周上部には外刃ケースの球面状摺動面が摺接する略すり鉢状の摺動面が形成され、外周下部には係合爪が係合しかつ全ての揺動方向に摺動する球面状摺動面が形成されている請求項２のロータリー式電気かみそり。
【請求項４】
外刃枠には複数の刃ユニットが装填され、各刃ユニットの各外刃ケースには平面視で外刃枠の中心と取付口の中心とを通る直線に直交しかつ取付口の中心を通る直線上に係合爪が１対設けられ、各外刃ケースはそれぞれ外刃ケースホルダーに対して前記係合爪によって揺動可能に上下方向に連結され、凸部は前記外刃ケースの外刃枠外周側に設けられている請求項２のロータリー式電気かみそり。
【請求項５】
押上板は各外刃ケースホルダー下面に外刃枠の中心側で当接し、静止状態では押上板は前記外刃ケース組の前記外刃枠中心側を外刃ケースホルダーの上限位置まで押し上げる一方、駆動軸が外刃中心付近を押し上げることにより前記外刃ケースはその外刃枠外周側が押し上げられて凸部が外刃枠上面から離れている請求項４のロータリー式電気かみそり。
【発明の詳細な説明】
【技術分野】
【０００１】
この発明は、本体部の上部に保持される外刃枠に、外刃の外周に固定された外刃ケースを上下動かつ揺動可能に装填し、外刃に内刃を下方から弾接させて回転するロータリー式電気かみそりに関するものである。
【背景技術】
【０００２】
この種の電気かみそりでは、略円盤状の外刃が皮膚に大きな押圧力で押圧された時に外刃が皮膚に大きくくい込み、髭が過度に深剃りになったり、外刃の外周縁と皮膚との接触圧が過大になって使用感が悪くなるおそれがある。そこで従来より外刃の外周を外刃リム（皮膚支持リム）で囲み、外刃と皮膚との接触圧が過大になるのを防ぐことが提案されている（特許文献１）。
【０００３】
特許文献１に示されたものでは、外刃リム（皮膚支持リム）を刃枠（外刃枠）に対して可動に保持すると共に、外刃をこの外刃リムに対して可動に保持している。そして外刃が皮膚に強く接触する時には、外刃の周囲の皮膚が外刃リムを押し下げることにより接触圧を外刃と外刃リムとで分けて受け、外刃に対する接触圧を減らすものである。
【０００４】
しかし特許文献１のものによれば、外刃が外刃リムに対して可動であるから、外刃の移動量（沈み込み量あるいは揺動量）を大きくすると外刃の縁が外刃リムの外刃取付口の開口縁に引っ掛かり易いという問題がある。すなわち外刃は外刃リムの外刃取付口に下方から挿入し外刃のフランジを外刃リムの外刃取付口の内縁に係合させているから、皮膚を外刃に強く押し付けると外刃が外刃リム内に深く進入するからである。
【０００５】
また外刃リムは外刃枠に対して外刃の中心を通り外刃の上面と平行な軸（Ｋ、Ａ、Ａ１、Ａ２で示されている。）を中心として回動（揺動）するものであるから、特に一つの軸周りだけで回動可能に支持したものでは、皮膚の圧力がこの回動軸上で加わる時には皮膚支持リムが回動しないことになり、動作が円滑でなくなる。
【０００６】
そこで出願人は、外刃に外刃リム（外刃ケース）を固定し、この外刃ケースを全ての方向に揺動可能とすることを提案した（特許文献２）。図１２はこの特許文献２に示された構造を示し、（Ａ）はその平面図、（Ｂ）と（Ｃ）はそのＢ−Ｂ線断面図であり、（Ｂ）は外刃２の復帰位置を、（Ｃ）は外刃２が傾いた状態を示す。これらの図において、外刃２を固定した略碗状の揺動ケース４の下面を略球面状にする一方、この球面状の下面を略すり鉢状の摺動面を有する刃受板（図示せず）に上下動を規制しつつ揺動可能に保持したものである。ここに揺動ケース４は円錐コイルバネ６によって中央への復帰習性が付与されている。
【０００７】
また出願人は、外刃の外周に固定した外刃リムに一対の係合爪を下方に向かって突接し、これらの係合爪の先端を外刃枠の取付口内周下縁に係合させて、外刃リムをこれらの係合爪を通る揺動軸周りに揺動させるものを提案した（特許文献３）。この場合には、外刃リムを外刃枠中心側で外刃フロートバネによって押し上げ、駆動軸が内刃を介して外刃の中心付近を押し上げている。このため外刃と一体の外刃リムは揺動軸周りに外刃枠中心側が上昇し、その上昇量は、前記係合爪の外刃枠に対する係合高さ位置と、外刃リム外周にフランジ状に凸設した張り出し部が外刃枠表面に当接する高さ位置とにより設定されることになる。
【先行技術文献】
【特許文献】
【０００８】
【特許文献１】特表平０９−５０３４２４
【特許文献２】特開２００６−３２０４５９
【特許文献３】特開２０１１−１４３１０１
【発明の概要】
【発明が解決しようとする課題】
【０００９】
前記特許文献２のものは、外刃２の周縁の一部が皮膚によって強く押し下げられて傾いた時には、この外刃２が固定された揺動ケース４が図１２（Ｃ）に示すように大きく傾きながら沈み込むことになり、この時に揺動ケース４が外刃枠７の取付口８よりも下降すると、この取付口８の縁に皮膚が当たることになる。この時には外刃２の皮膚への密着が不十分となり髭剃り性能が低下する。このため剃り残しが増えたり深剃りができなくなるという問題があった。また外刃枠７の取付口８に皮膚が強く接触し皮膚の保護が不十分になったり、使用感が低下するという問題がある。
【００１０】
また外刃２の下面には内刃が摺接可能に装填され、この内刃のボス部９には駆動軸（図示せず）が揺動可能に係合している。この駆動軸は内刃に上向きの復帰習性を付与している。前記揺動ケース４は主としてこの駆動軸が外刃２を下方から押し上げる弾性復帰力と前記刃受け板４を押し上げる円錐コイルバネ６の復帰力とにより中心位置に保持されるが、これを中心位置に戻すための復帰力が弱いためその保持が不安定であり、使用感が悪いという問題もあった。
【００１１】
また特許文献３のものは、外刃を外刃リムの係合爪によって外刃枠に揺動可能に保持し、静止状態では、外刃リムの外周に設けた張り出し部を外刃枠上面に当てて位置決めしているから、外刃リムの外刃枠外周側は全く下降せず、外刃枠中心側だけが押し込み可能になる。このため外刃枠外周側の外刃接触圧が過大になる一方、外刃枠中心側の接触圧が過少になることがあり、使用感を向上させることが困難であった。
【００１２】
この発明はこのような事情に鑑みなされたものであり、外刃が深く沈み込む時に外刃が外刃リム（外刃ケース）の取付口の内縁に引っ掛かることが無く、外刃の皮膚への密着性が向上し髭剃り性能を向上させることができ、外刃の周方向のあらゆる位置で円滑な沈み込みを可能にし、外刃の皮膚に対する接触圧を全周に渡って略均一かつ適切にし、使用感を格段に向上させることができるロータリー式電気かみそりを提供することを目的とする。
【課題を解決するための手段】
【００１３】
この発明によればこの目的は、本体部に保持される外刃枠の取付口に揺動可能に保持された外刃と、駆動軸により上向きに付勢され前記外刃の下面に弾接しつつ回転する内刃とを有する複数の刃ユニットを備えるロータリー式電気かみそりにおいて、
前記外刃の外周に固定され外周下部に球面状摺動面が形成された外刃ケースと；
前記取付口の内側に上下可動かつ上限位置が規制されて装填され、前記外刃ケースの球面状摺動面をガイドして前記外刃ケースを揺動可能に保持する外刃ケースホルダーと；
前記外刃と、外刃ケースと、外刃ケースホルダーとで形成される外刃ケース組に上向きの復帰習性を付与する押上板と；
を備え、前記外刃ケースの外周に前記外刃枠の上面に延出して前記外刃ケースが前記取付口に沈み込むのを防ぐストッパとなる凸部を形成したことを特徴とするロータリー式電気かみそり、により達成される。
【発明の効果】
【００１４】
この発明によれば、外刃を外刃ケース（外刃リムに対応する。）に一体に固定したので外刃が外刃ケースに対して沈み込んだり回動（揺動）することがなく、外刃をその外周の一部だけを強く押し込んだ時に外刃が大きく傾いて外刃ケースの取付口に引っ掛かることがない。このため外刃の皮膚への密着性が向上し髭剃り性能を向上させることができる。また外刃は外刃ケースホルダーに対して全方向（前後左右）に揺動可能であり、外刃ケースホルダーは外刃枠の取付口内面にガイドされて上下可動であるから、外刃の周方向のあらゆる位置で円滑な沈み込みが可能である。このため、外刃の皮膚に対する接触圧を全周に渡ってほぼ均一かつ適切にすることができ、使用感を格段に向上させることができる。
【００１５】
また外刃と外刃ケースとを一体化した外刃ケース組は、外刃枠に設けた取付口に可動に保持するから、複数の外刃ケース組を有する場合に、隣接する外刃ケース組の動作が互いに影響せず、隣接する外刃の剃り味に影響しない。さらに各外刃ケース組は独立しているので、１つの外刃ケース組の動作が他の外刃ケース組を上下動や揺動させることがなく、上下動時の抵抗が増えることもない。さらにまた各外刃ケースの間には外刃枠が存在するから隣接する外刃の高さや傾きの差が大きくなっても間にある外刃枠がこの高さの差を緩和することになり、ヘッドの滑らかな移動が可能である。このため各外刃ケースの間にヒンジ構造（特許文献１参照）が不要になるので外刃を大径化して髭剃り面積を大きくでき、逆に外刃の径を大きくしても外刃枠が大型化するのを防ぐことができる。
【図面の簡単な説明】
【００１６】
【図１】本発明の一実施例の外観を示す斜視図
【図２】図１におけるII−II線断面図
【図３】図２の一部拡大図
【図４】同じくヘッド部の分解斜視図
【図５】図４において外刃ケースの保持構造を示す一部拡大斜視図
【図６】外刃枠と外刃ケース組の組合わせを示す平面図
【図７】同じくそのVII−VII断面図
【図８】同じく図６におけるVIII−VIII線断面図
【図９】同じく図６におけるIX−IX線断面図
【図１０】図７の一部拡大図、
【図１１】図８に内刃を組み合わせた状態を示すVIII−VIII線相当位置の断面図
【図１２】従来例のヘッド構造を示す図であり、（Ａ）はその平面図、（Ｂ）はその静止状態を示すＢ−Ｂ線断面図、（Ｃ）は傾斜状態を示すＢ−Ｂ線断面図
【発明を実施するための形態】
【００１７】
外刃ケースには、下方に伸びる複数の係合爪を一体に形成しておき、これらの係合爪の先端を外刃ケースホルダーに下方から係合することにより、外刃ケースが外刃ケースホルダーに対して全方向に揺動可能となるように上下方向に連結することができる（請求項２）。外刃ケースホルダーが外刃ケースを揺動可能かつ上下に連結する構造としては、外刃ケースホルダーの内周上部に外刃ケースの球面状摺動面が摺接する略すり鉢状の摺動面を形成しておき、外周下部に係合爪が係合しかつ摺動する球面状摺動面を形成しておく構造が可能である（請求項３）。
【００１８】
外刃枠に複数の刃ユニットを装填する場合には、各刃ユニットの各外刃ケースには平面視で外刃枠の中心を通り髭剃り面（あるいは外刃の上面）に平行な直線に対して直交する水平な直線上に係合爪を１対設け、各外刃ケースをそれぞれ外刃ケースホルダーに対して前記一対の係合爪を通る直線の周りに揺動可能として、凸部を前記各外刃ケースの外刃枠外周側に設けることができる（請求項４）。この場合に押上板が各外刃ケースホルダーの外刃枠中心側で当接して各外刃ケースホルダーをその上限位置まで押し上げるようにすれば、皮膚が外刃枠中心側で外刃を押し下げる時には外刃ケースホルダーの上下可動域とこの押上板の上下可動範囲とにより外刃の可動域を十分に大きくすることができ、また皮膚が外刃枠外周側に接触して押し下げる時には、外刃ケースホルダーの可動域の範囲内で外刃は上下動可能となる（請求項５）。このため皮膚を保護しつつ使用感の向上が可能である。
【００１９】
外刃ケース組を外刃枠に３組保持する場合は、外刃枠の中心に対して３つの外刃の中心が正三角形の頂点に位置するように配置することができる。外刃ケース組を２組保持する場合は、外刃枠の中心に対して対称位置に各外刃の中心が位置するようにすればよい。本発明では外刃ケース組は３組備えるものが最も望ましいが、２組であっても、３組以上備えるものであってもよい。
【００２０】
各外刃ケース組を押し上げる押上板は、外刃枠に保持された刃押え板との間に縮装された外刃フロートバネによって上向きに弾性支持されるが、この刃押え板には外刃枠の中心軸（外刃枠の上面あるいは髭剃り面に垂直でかつ外刃枠の中心を通る軸）回りに回動可能な着脱板を保持してこの着脱板を外刃枠内面に係脱可能にする。例えば外刃枠に固定（あるいは一体成形）した固定リブに着脱板の周縁に設けた突起を周方向に係脱するように構成することができる。
【００２１】
刃枠内面に保持する刃押え板には、各刃ユニットの内刃の脱落を防ぐ内刃落下防止リングを一体に形成しておくことができる。すなわち外刃枠に刃ユニットを組付けたヘッド部を本体部に着脱する際に内刃が刃ユニットから外れて落下するのをこのリングで防ぎ、ヘッド部の着脱を容易にするものである。
【００２２】
押上板は、各外刃ケース組の外刃ケースの下面に外刃枠の中心側で当接し、各外刃ケースを外刃枠の中心側で弾性をもって押し上げるようにするのがよい。この場合外刃ケースは外刃ケースホルダーに対して揺動可能かつ上下に連結しておけば、静止状態では外刃ケースと外刃ケースホルダーは外刃ケースホルダーの上限位置まで上昇する。
【００２３】
なお３つの刃ユニットを有する場合には、刃押え板に一体成形する３つの内刃落下防止リングの間には空隙ができるから、この空隙を利用して外刃枠の中心軸上に押上板や外刃フロートバネなどを同軸に収まり良く収容できる。このためヘッド部の小型化に適するものとなる。
【実施例１】
【００２４】
図１〜３において符号１０は本体部であり、略円柱状のグリップ部１２の上部を斜め前上方へ折曲したケース１４を持つ。このケース１４は前後割りであり、図２に示すように、その内部には充電可能な電池１６、電気モータ１８、制御回路基板２０などが収容されている。ケース１４の前面には電源スイッチ２２が取付けられ、このスイッチ２２の下方には電池１６の充電残量や動作状態などを示すＬＥＤランプからなる表示器２４がケース１４の半透明部分１４Ａを通して外から目視可能となっている。
【００２５】
ケース１４の上部にはヘッド部２６が開閉可能かつ着脱可能に取付けられている。なおヘッド部２６は、その髭剃り面（後記刃枠６６の上面）が斜め前上方を指向するようにケース１４のグリップ部１２に対して傾いている。前記電気モータ１８はその回転出力軸がこのヘッド部２６を指向している。
【００２６】
本体部１０の上部を塞ぐ内上蓋板２８と電気モータ１８を固定する内底蓋板３０との間には減速機３２が収容されている（図３）。減速機３２は、モータ１８の回転出力軸１８Ａの回転を小歯車３２Ａおよび内刃大歯車３２Ｂで減速し、３本の内刃駆動軸３４に大平歯車３６を介して伝達する。なお内刃駆動軸３４の下端は内底蓋板３０に軸支され、中間部は内上蓋板２８を貫通しヘッド部２６内に進出している。
【００２７】
３本の内刃駆動軸３４に固定した前記大平歯車３６は前記内刃大歯車３２Ｂの上面に形成した歯車に噛合している。またこの内刃大歯車３２Ｂの上面には偏心円筒カム３８が一体成形され、このカム３８はキワ剃り刃４０を駆動する。すなわちこのカム３８に係合して揺動するカムホロワ４２は、内上蓋板２８を貫通して揺動するトリマー駆動レバー４４の支点部４６と一体であり、トリマー駆動レバー４４を左右に揺動させる。このトリマー駆動レバー４４はキワ剃り刃４０を起立させた時にこのキワ剃り刃４０に係入し、キワ剃り刃４０を往復動させる。
【００２８】
本体部１０の内上蓋板２８の上面には、防水板４８が固定され、この防水板４８の上方には略碗状のヘッド保持台５０が僅かに揺動可能に保持されている。前記した３本の内刃駆動軸３４は、ヘッド部２６の中心線５２（Ａ、図３〜７参照）を中心とする正三角形の頂点に位置する。これらの内刃駆動軸３４の下部は前記したように、内底蓋板３０に軸支され、その中間部は内上蓋板２８と防水板４８とヘッド保持台５０を貫通して上方にのびている。そして上端には自在継手５４が取付けられている。
【００２９】
ここに内刃駆動軸３４と防水板４８およびヘッド保持台５０との間にはそれぞれ略円錐状の柔軟なシール材５６、５８が装着されている（図３）。自在継手５４は、内刃駆動軸３４の上端に固定された連結駆動軸６０とこの連結駆動軸６０に対して軸方向にスライド自在に保持された連結被動軸６２と、これらの間に縮装されたコイルばね６４とを備える。この連結被動軸６２は、内刃９０を回転駆動する駆動軸となる。なお連結被動軸６２の上端には平面視略四角形の球状部が形成されている。この球状部は後記する内刃９０のボス部９４に形成した下方に開く略四角形の凹部に下方から進入して遊動自在すなわち傾斜自在に係合する。
【００３０】
次にヘッド部２６を説明する。ヘッド部２６はヘッド保持台５０に上方へ開閉可能な外刃枠６６に３組の刃ユニットを組付けたものである。外刃枠６６は正面視略三角形で周縁をなだらかに下方へ湾曲させた形状である。外刃枠６６には３つの円形の取付口６８が形成され（図３、４、５）、ここにそれぞれ外刃ケース組７０が後記する外刃ケースホルダー７８を介して上下方向と揺動方向に可動に保持される。
【００３１】
すなわち外刃ケース組７０は、略円盤状で周縁が下方に折曲された外刃７２と、この外刃７２の外周が下方から嵌め込まれて固定された環状の外刃ケース７４と、この外刃ケース７４の内周に嵌め込まれて外刃７２を外刃ケース７４に固定する環状のストッパリング７６とを備える（図４、１１参照）。ここに外刃７２の上面には放射方向に多数の髭導入口が形成され、この上面は外刃ケース７４より僅かに突出している。
【００３２】
外刃枠６６の取付口６８内周面には、環状の外刃ケースホルダー７８が上下動可能かつ上限位置が規制された状態で装填されている。すなわちこの外刃ケースホルダー７８は、図４、５、８〜１１などに示すように、外周が円筒面であって外刃枠６６の取付口６８に下方から上下動可能に装填され、その上限位置は取付口６８の内周上部に形成した段部８０（図１０）に下方から当接することにより規定されるものである。また前記外刃ケース７４の外周下部には球面状の摺動面８２（図１０）が形成され、外刃ケースホルダー７８の内周上部にはこの球面状摺動面８２に摺接する略すり鉢状の摺動面８４が形成されている。このため外刃ケース７４は、その球面状摺動面８２が外刃ケースホルダー７８の摺動面８４にガイドされて前後左右全ての方向に揺動可能である。
【００３３】
ここに外刃ケース７４には下方に突出する一対の係合爪８６が形成され、これらの係合爪８６は先端（下端）が外側に折り返され、この押し返し部分が外刃ケースホルダー７８の下縁に係合している。係合爪８６は、図６に示すように、平面視で外刃枠６６の中心Ａと取付口６８の中心Ｂとを通る直線Ｃに直交し、かつ取付口６８の中心Ｂを通る直線（外刃揺動軸）Ｄ上に設けられている。なお図７、１０において、４つの係合爪８６が示されているが、外側の一対の係合爪８６が図６の下側の取付口６８に対するものであり、内側の二つの係合爪８６Ａ、８６Ｂはそれぞれ図６の上左側および上右側の取付口６８、６８に対するものである。
【００３４】
前記外刃ケースホルダー７８には、図６の平面視上で直線Ｄ上で切欠いた切欠き部７８Ａが形成され（図５、１０）、この切欠き部７８Ａに係合爪８６の先端が下方から係合している。ここに外刃ケースホルダー７８の外周下部には略球面状摺動面７８Ｂが形成され（図１０）、係合爪８６の先端はこの外刃ケースホルダー７８の外周下部の下方を通ってこの球面状摺動面７８Ｂに摺接している。この球面状摺動面７８Ｂは、外刃ケースホルダー７８の内周上部に形成した略球面状摺動面８４と同心の球面上に形成されている。このため外刃ケース７４は外刃ケースホルダー７８に対して、全方向に（前後左右方向に）揺動可能であると同時に、外刃ケースホルダー７８に上下方向に連結され、外刃ケースホルダー７８と共に上下動可能である。
【００３５】
また図５、８、１１に示すように、外刃ケースホルダー７８には図６のVIII−VIII線（直線Ｃ）上における外刃枠６６の中心Ａ側がすり鉢状摺動面８４と同一の摺動面が形成される一方、外刃ケースホルダー７８の反対側の切欠き部７８Ｂの内周側には外刃ケース７４の下縁が当接する舌状部７８Ｃが形成されている。
【００３６】
外刃ホルダー７４の外周には、外刃枠６６の上面（取付孔６８の開口縁の上方）に向かって延出する鍔状の凸部８８が一体に形成されている。この凸部８８は外刃ケース７４が取付口６８に過度に沈み込むのを防ぐストッパとなる。すなわち外刃ケース７４は後記するように外刃枠６６の中心Ａ側が後記する押上板９８（図４）によって上向きにバネ付勢され、また外刃７２の下面には内刃９０が駆動軸６２（図３）によって上向きにバネ付勢されているので、外刃ケース７４に係合爪８６によって連結された外刃ケースホルダー７８は上向きに引き上げられるように付勢され、外刃枠６６の段部８０（図１０）に当たって上向きの移動が規制される。一方外刃ケース７４は係合爪８６によって外刃ケースホルダー７８に揺動可能に連結されると共に、その外周側は外刃ケースホルダー７８に設けた舌状部７８Ｃに当たって外刃ケースホルダー７８によって押し上げられている（図８、１１）。この時には外刃ケース７４の凸部８８は外刃枠６６の上面よりも上方に離れている。
【００３７】
また、外刃７２を押し込む場合に、外刃枠６６の中心Ａ側を押し込むと、外刃ケース７４は係合爪８６を通る直線（揺動軸）を中心にして揺動し、さらに強く押し込むと外刃ケースホルダー７８が下降して後記押上板９８と駆動軸６２を圧縮しながら下降する。外刃７２の外周側を押し込むと、外刃ケース７４の下縁が外刃ケースホルダー７８の舌状部７８Ｂに当たっているので、外刃ケースホルダー７８を押し下げながら共に下降する。この時の下降は凸部８８が外刃枠６６の上面に当たることにより制限される。
【００３８】
外刃７２の内面には内刃９０が摺接しながら回転し、外刃７２の髭導入口に入った髭をこの内刃９０がカットするものである。これら外刃７２と内刃９０とで刃ユニットが形成される。内刃９０はその下面に取り付けた内刃ホルダー９２に保持され、この内刃ホルダー９２に固定したボス部９４に前記自在継手５４の連結被動軸（駆動軸）６２が係入する下方に開く凹部が形成されている（図３、１１）。
【００３９】
９６は外刃枠６６の内面に着脱可能とした刃押え板である。この刃押え板９６は図３、４などに示すように、前記外刃ケース組７０の外刃ケース７４を弾性的に押上げる押上板９８を保持するものである。すなわち刃押え板９６の中心に形成した円筒状のガイド部にはリング状の押上板９８が、コイルばねからなる外刃フロートバネ１００を挟んで取付けられ、押上板９８の上面に等間隔に突設した３つの縦リブ９８Ａを外刃ケース７４の下面に当接させる（図３、４）。
【００４０】
ここに３つの縦リブ９８Ａは外刃ケース７４に対して外刃枠６６の中心Ａ（中心線５２）側に当接する。このため３つの外刃ケース組７０はそれぞれの揺動軸Ｄを中心にして外刃枠６６の中心側が弾性的に押上げられる。外刃７２が皮膚に当たって押下げられると、外刃ケース組７０は揺動軸Ｄを中心にして外刃枠６６の中央側が沈み込む。この時に押上板９８がバネ１００を圧縮する。
【００４１】
刃押え板９６は三又状の着脱板１０２によって外刃枠６６の内側に着脱される。すなわち着脱板１０２の中心には、刃押え板９６の中心のガイド部（図３）を回動可能に貫通する切込み付きの筒（コレット）１０２Ａが形成され（図４）、この筒１０２Ａの先端に設けた爪をガイド部の上端に係止したものである。この着脱板１０２の放射状にのびる脚１０２Ｂ（図４）の先端は、外刃枠６６の内面に突設した３つの固定リブ６６Ａに周方向に係脱可能である。
【００４２】
なお着脱板１０２の筒１０２Ａは、外刃枠６６の下面中央（中心軸Ａ上）に突設した中央突起６６Ｂ（図３、７、８、９、１０）に係合し、着脱板１０２を位置決めする。また前記各リブ６６Ａの基部には、刃押え板９６に形成した３つの凹溝９６Ａ（図４）が係合し、刃押え板９６の位置決めをする。
【００４３】
前記ヘッド保持台５０は図３に示すように、防水板４８の中央に位置するボス部４８Ａに対向する開口５０Ａが形成され、この開口５０Ａを囲む上面にキャップ部材９８が摺接する。このキャップ部材９８はこれを上方から貫通するビス９８Ａをボス部４８Ａに螺入することによってボス部４８Ａに固定される。ヘッド保持台５０の中央部下面は、防水板４８のボス部４８Ａを囲み防水板４８との間に縮装されたコイルばね９８Ｂにより上向きに押されている。この結果ヘッド保持台５０の中央部は、キャップ部材９８とコイルばね４８Ｂとで上下から挟まれ、ヘッド保持台５０が中心軸５２の傾き方向に揺動可能である。
【００４４】
前記刃押え板９６には前記刃ユニットの内刃９０のボス部９４を囲む３つの内刃落下防止リング９６Ｂが一体に形成されている（図４）。これらの内刃落下防止リング９６Ｂは、ヘッド部２６に３組の刃ユニットを組付け、さらに刃押え板９６を刃枠６６に固定した状態で、ヘッド部２６の着脱・開閉時に内刃９０が脱落するのを防止する。
【００４５】
このように構成されたヘッド部２６は、ヘッド保持台５０にヒンジ１０４（図４、１１）で開閉可能に取付けられる。すなわち外刃枠６６の縁に揺動自在に保持した略Ｕ字状の部材からなるヒンジ１０４を、ヘッド保持台５０に形成した溝孔に差し込んで保持するものである。ヘッド保持台５０のヒンジ１０４と反対側の縁は、ヘッド保持台５０に設けたロック装置１０６によりロック可能である（図１、２、３）。
【００４６】
この実施例において、外刃ケース組７０の外刃ケース７４は揺動軸Ｄ（図５、６）を中心にして前後に（軸Ｄ回りに）揺動可能であり、また係合爪８６と外刃ケースホルダー７８の摺動面の摺動により左右に（軸Ｃ回りに）揺動可能であり、外刃ケース７４はヘッド中央側（中心軸５２側）が押上板９８のリブ９８Ａ（図３、４、６、１０）により弾性的に押上げられている。このためヘッド部２６の上面（髭剃り面）を皮膚に押当てた時には外刃ケース７４が押上板９８を押下げながら揺動する。この時に３組のうち１組の外刃ケース組７０だけが押し下げられた時には押上板９８は傾くだけで他の外刃ケース組７０の押下げ力に影響を及ぼさない。このため３つの外刃ケース組７０の揺動は互いに影響を及ぼすことなく独立性をもって揺動することになり、３つの外刃ケース組７０間の剃り味に影響することがない。
【００４７】
また３つの外刃ケース７４の取付口６８の間には外刃枠６６の上面が現れている（図１、５、６、８）。このため一部の外刃ケース７４が深く沈み込んだ状態でヘッド部２６を皮膚上で滑らせた時には、皮膚の凸部は隣接する外刃ケース７４の間で外刃枠６６上面で一時的に支持される。すなわち隣接する外刃ケース７４の高さの差を外刃枠６６の上面で緩和することになるから、ヘッド部２６の移動が円滑になる。
【符号の説明】
【００４８】
１０  本体部
２６  ヘッド部
５２  中心線
５４  自在継手
６２  駆動軸
６６  外刃枠
６６Ａ  リブ
６８  取付口
７０  外刃ケース組
７２  外刃
７４  外刃ケース
８６  係合爪
８８  凸部
９０  内刃
９６  刃押え板
９８  押上板
９８Ａ  リブ
１００  外刃フロートバネ
１０２  着脱板
Ａ  外刃枠６６の中心
Ｄ  揺動軸
【図１】
2013141566.tif 000003
【図２】
2013141566.tif 000004
【図３】
2013141566.tif 000005
【図４】
2013141566.tif 000006
【図５】
2013141566.tif 000007
【図６】
2013141566.tif 000008
【図７】
2013141566.tif 000009
【図８】
2013141566.tif 000010
【図９】
2013141566.tif 000011
【図１０】
2013141566.tif 000012
【図１１】
2013141566.tif 000013
【図１２】
2013141566.tif 000014